(57)【要約】【課題】本発明の課題は、濡れによるレーベル部分の損傷を防止でき、且つレーベル部分の水濡れを気にせずにレコードを洗浄できるレコード洗浄具を提供することである。【解決手段】レコード２０の中央部分に形成されたレーベル部分２１を覆うレコード洗浄具１であって、レコード洗浄具はレーベル部分２１をレコードの両側から覆う一組のカバー部材３、５と、カバー部材とレコードとの間をシールするシール材７、８と、雄ねじ部材９と、雄ねじ部材に螺合する雌ねじ部材１１とを備え、カバー部材は外周に沿ってシール材を装着しており、且つ中央にレコードの中央孔２５と一致する貫通孔１３、１５を備え、レコードの中央孔とカバー部材の貫通孔とを一致させた位置でレコードの中央孔とカバー部材とに雄ねじ部材を挿通して雌ねじ部材を螺合することにより一組のカバー部材でレコードを狭着することを特徴とする。【選択図】　図１
2004030711.tif 000002
【特許請求の範囲】
【請求項１】
レコードの中央部分に形成されたレーベル部分を覆うレコード洗浄具であって、レコード洗浄具はレーベル部分をレコードの両側から覆う一組のカバー部材と、カバー部材とレコードとの間をシールするシール材と、雄ねじ部材と、雄ねじ部材に螺合する雌ねじ部材とを備え、カバー部材は外周に沿ってシール材を装着しており、且つ中央にレコードの中央孔と一致する貫通孔を備え、レコードの中央孔とカバー部材の貫通孔とを一致させた位置でレコードの中央孔とカバー部材とに雄ねじ部材を挿通して雌ねじ部材を螺合することにより一組のカバー部材でレコードを狭着することを特徴とするレコード洗浄具。
【請求項２】
雄ねじ部材又は雌ねじ部材の少なくとも一方には、把持用の取っ手を設けたことを特徴とする請求項１記載のレコード洗浄具。
【発明の詳細な説明】
【０００１】
【発明の属する技術分野】
本発明は、レコード盤の洗浄に関するものである。
【０００２】
【従来の技術】
最近、音楽を記録する媒体としてコンパクトディスク（ＣＤ）やミニディスク（ＭＤ）等が一般的になってきている。これらの記録媒体はデジタル方式であるため、音が劣化し難く、また音質も良好である。一方、アナログ方式であるＬＰレコードは、音質がデジタル方式に比べて若干劣っているが、その独特の音感を求めて愛好者は多い。
【０００３】
ＬＰレコードは表面にゴミ等が付いていれば、それが音になって出てしまうので、定期的なクリーニングが必要であった。クリーニングの方法としては、木綿の布などに中性洗剤を拭きつけ、表面の溝に沿って擦るようにふき取っていた。
【０００４】
しかし、上記の方法でも取れない頑固なカビやこびりついた汚れは、中性洗剤を水で希釈して、それを雑巾につけて同じように擦り取り、水道の流水で丸洗いした後、乾いた綺麗な布、もしくは大きなガーゼでふき取るように擦り取っていた。
【０００５】
【発明が解決しようとする課題】
しかしながら、上記の方法ではレコードの中央部分であるレーベル部分が水に濡れてしまい、レーベル部分のフィルムが剥がれたり、表面が変色したりするなどの損傷が生じるため、レーベル部分に水がかからないように、慎重に洗浄する必要があった。
【０００６】
本発明の課題は、水濡れによるレーベル部分の損傷を防止でき、且つレーベル部分の水濡れを気にせずにレコードを洗浄できるレコード洗浄具を提供することである。
【０００７】
【課題を解決するための手段】
請求項１に記載の発明は、レコードの中央部分に形成されたレーベル部分を覆うレコード洗浄具であって、レコード洗浄具はレーベル部分をレコードの両側から覆う一組のカバー部材と、カバー部材とレコードとの間をシールするシール材と、雄ねじ部材と、雄ねじ部材に螺合する雌ねじ部材とを備え、カバー部材は外周に沿ってシール材を装着しており、且つ中央にレコードの中央孔と一致する貫通孔を備え、レコードの中央孔とカバー部材の貫通孔とを一致させた位置でレコードの中央孔とカバー部材とに雄ねじ部材を挿通して雌ねじ部材を螺合することにより一組のカバー部材でレコードを狭着することを特徴とする。
【０００８】
この請求項１に記載の発明では、レコード洗浄具をレコードに狭着する際には、カバー部材の外周に沿ってシール材を装着する。そして、レコードの両側からレコードの中央孔とカバー部材の貫通孔とを一致させた位置にくるように、カバー部材を配置する。レコードの中央孔とカバー部材の貫通孔とに雄ねじ部材を挿通して雌ねじ部材と螺合することにより一組のカバー部材でレコードを狭着する。
【０００９】
レコードのレーベル部分の表面がカバー部材で覆われ、さらにカバー部材とレコード表面との間がシール材でシールされるので、レコードを洗浄する際にレーベル部分に水が浸入しないので、水濡れによる損傷を防止でき、レーベル部分の水濡れを気にせずにレコードを洗浄できる。
【００１０】
請求項２に記載の発明は、請求項１に記載の発明において、雄ねじ部材又は雌ねじ部材の少なくとも一方には、把持用の取っ手を設けたことを特徴とする。
【００１１】
この請求項２に記載の発明では、請求項１記載の発明と同様の作用効果を奏するとともに、雄ねじ部材又は雌ねじ部材には、把持用の取っ手を設けたので、レコードを洗浄する際に、取り扱いが容易である。
【００１２】
【発明の実施の形態】
以下に本発明の実施例を図面に基づいて具体的に説明する。
【００１３】
図１は本発明に係るレコード洗浄具を概略的に示した分解斜視図、図２は図１のレコード洗浄具をレコードに装着したときを示した断面図、図３は図１のレコード洗浄具をレコードに装着したときを示した斜視図、図４は図３の雄ねじ部材の変形例を示す斜視図である。
【００１４】
レコード洗浄具１は、レコード２０の表面を両側から挟着することで、レコード２０の表面を洗浄する際、レコード２０のレーベル部分２１への水の浸入を防止するものであり、レーベル部分２１を両側から覆う一組のカバー部材３、５と、シール材７、８と、雄ねじ部材（固定ネジ）９と、雌ねじ部材（固定ナット）１１とを備えている。
【００１５】
カバー部材３、５は、円板状の透明のアクリル板であり、中央部分にネジの貫通孔１３、１５が設けられており、またカバー部材３、５の外周に沿って溝部２７、２９が設けられている。尚、カバー部材３、５の直径はレコード２０のレーベル部分２１の直径より大きく、且つ録音部２３にかからない大きさに形成されている。
【００１６】
シール材７、８は、弾性を有する材料、例えば二トリルゴムにより形成されており、カバー部材３、５の外周に形成された溝部２７、２９に装着される。シール材７、８は、レコード２０の洗浄時に、カバー部材３、５とレコード２０の表面との隙間部分を密閉してレコード２０の中央のレーベル部分２１に水が浸入するのを防止する。
【００１７】
尚、シール材７、８はカバー部材３、５の溝部２７、２９に装着した際、カバー部材３、５の表面から約０．５ｍｍ盛り上がるようにしてシール効果を高めている。
【００１８】
固定ネジ９及び固定ナット１１は、レコード２０の両側からカバー部材３、５を挟んだ状態で、カバー部材３、５をレコード２０に固定するものであり、固定ネジ９はネジ部１０を備えており、固定ナット１１は固定ネジ９側のネジ部１０が螺合するネジ孔１２が設けられている。
【００１９】
尚、固定ネジ９又は固定ナット１１の少なくとも一方に、把持用の取っ手部３１を設けるようにしても良い。取っ手部３１を設けることで、レコードを洗浄する際に、取り扱いが容易である。また、取っ手部３１に凹凸の滑り止めを設けても良い。
【００２０】
パッキン１７、１９は、弾性材からなり、固定ネジ９と固定ナット１１とを螺合する際に、固定ネジ９及び固定ナット１１とカバー部材３、５との間に挟んで、ネジを強く締め付けることができるようにしている。
【００２１】
尚、パッキン１７、１９の穴のサイズは、固定ナット１１側に装着するパッキン１９の穴を、固定ネジ９側のパッキン１７の穴よりも大きくして、ネジの締め付けによりパッキン１９がネジに食い込んだり、傷がついたりすることを防いでいる。
【００２２】
次に、上記した構成に基づき、本実施の形態の作用を説明する。レコード洗浄具１をレコード２０に固定するには、カバー部材３、５の外周に沿ってシール材７、８を装着する。固定ネジ９を平行な台の上に載せ、ネジ部分１０にパッキン１７を入れ、更にその上から一方のカバー部材３の貫通孔１３をネジ部分１０に挿入する。次いで、レコード２０の中央孔２５をネジ部分１０に挿入し、その上から他方のカバー部材５を挿入する。そして、カバー部材５の上部からネジ部分１０に固定ナット１１を螺合し、固定ナット１１を回して軽く閉める。固定ナット１１を持ちながらレコード洗浄具１を上方に持ち上げ、両手で固定ネジ９及び固定ナット１１を再度締め付ける。
【００２３】
次に、レコードの洗浄について説明する。レコード２０を洗浄する際には上述したようにレコード洗浄具１をレコード２０に固定した後、洗面台にレコード洗浄具１を装着したレコード２０をつけて洗面器にお湯を張り、この中にレコード洗浄具１を固定したレコード２０を洗面器の中に入れ、ガーゼやペーパータオル等で表面を洗う。レコード２０の両面が洗い終わったら、洗面器からレコード２０を取り出し、流水で表面をすすいで汚れを落とす。
【００２４】
尚、レコード２０にカビ等の頑固な汚れがある場合には、中性洗剤をあらかじめ数滴混ぜておき、レコード洗浄具１を固定したレコード２０をこの洗面器に５分から１０分程度漬けておいても良い。
【００２５】
このように、レコード２０のレーベル部分２１の表面がカバー部材３、５で覆われ、さらにカバー部材３、５とレコード表面との間がシール材７、８でシールされるので、レコード２０を洗浄する際にレーベル部分２１に水が浸入しないので、レーベル部分２１の水濡れを気にせずにレコード２０を洗浄したり、丸洗いしたりできる。
【００２６】
次に、レコード洗浄具１をレコード２０から取り外す場合、レコード２０の表面に付いた水滴をある程度取り除いてから、固定ナット１１を回してネジを少し緩め、水平な台に固定ネジ９側を下にして置く。そして、カバー部材３、５を手で押さえながら固定ナット１１を開方向に回して固定ナット１１を取り外す。その後、パッキン１７、１９及びカバー部材３、５を夫々レコード２０から取り外す。
【００２７】
レコード洗浄具１をレコード２０から取り外したら、表面に付いている水分を良く拭き取った後、レコード２０を所定の乾燥場所に移動させて乾燥させる。また、レコード洗浄具１も同様に水分を拭き取った後、乾燥させてから収納する。尚、カバー部材３、５に装着したシール材７、８は、長期間使用しない場合は、カバー部材３、５の溝部２７、２９から外しておく方が望ましい。
【００２８】
本発明は、上述のような実施例に限定されず、その要旨を逸脱しない範囲内において種々の変形が可能である。例えば、本実施の形態ではレコード洗浄具１をＬＰレコードに装着する場合について説明したが、これに限定されずＥＰレコードに装着しても良い。
【００２９】
【発明の効果】
請求項１に記載の発明では、レコードのレーベル部分の表面がカバー部材で覆われ、さらにカバー部材とレコード表面との間がシール材でシールされるので、レコードを洗浄する際にレーベル部分に水が浸入しないので、水濡れによるレーベル部分の損傷を防止でき、またレーベル部分の水濡れを気にせずにレコードを洗浄できる。
【００３０】
請求項２に記載の発明では、請求項１に記載の発明と同様の効果を奏するとともに、雄ねじ部材又は雌ねじ部材には、把持用の取っ手を設けたので、レコードを洗浄する際に、取り扱い易い。
【図面の簡単な説明】
【図１】本発明に係るレコード洗浄具を概略的に示した分解斜視図である。
【図２】図１のレコード洗浄具をレコードに装着したときを示した断面図である。
【図３】図１のレコード洗浄具をレコードに装着したときを示した斜視図である。
【図４】図３の係合部材の変形例を示す斜視図である。
【符号の説明】
１　　　　　　レコード洗浄具
３、５　　　　カバー部材
７、８　　　　シール材
９　　　　　　雄ねじ部材（固定ネジ）
１１　　　　　雌ねじ部材（固定ナット）
１３、１５　　貫通孔
２０　　　　　レコード
２１　　　　　レーベル部分
２５　　　　　中央孔
【図１】
2004030711.tif 000003
【図２】
2004030711.tif 000004
【図３】
2004030711.tif 000005
【図４】
2004030711.tif 000006